【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
データベース及び上記データベースに接続されたデータ編集用プログラムを備えたデータ定義部と、上記データ定義部による出力を表示する表示部と、オペレータによる入力が可能な入力部とを備えたデータ定義装置を有する監視制御システムにおいて、
上記データベースは、複数のプラントのプラント名称の一覧が設けられたプラントテーブル、上記複数のプラント毎の設備の設備名称の一覧が設けられた設備テーブル、上記複数のプラントそれぞれの設備毎の信号名称の一覧が設けられた信号テーブル及び行を区別するための項目番号欄と上記プラントテーブル、設備テーブル及び信号テーブルから選択された各名称を格納するための項目名称欄が設けられた項目番号テーブルから構成され、上記プラントテーブル、設備テーブル及び信号テーブルはリンクされ、
上記データ編集用プログラムは、内部に、上記リンクされた情報を取得するリンク情報取得手段、上記リンク情報取得手段が取得した情報に基づき、上記プラントテーブルの一覧から選択されたプラントの設備名称の一覧が設けられた上記設備テーブルを上記表示部に表示し表示された上記設備テーブルから選択された設備の信号名称の一覧が設けられた上記信号テーブルを取得して上記表示部に表示する信号一覧表示手段、及び上記項目番号テーブルを取得して項目番号編集画面として上記表示部に表示し上記信号一覧表示手段が取得した上記信号テーブルから選択された信号名称、上記選択された信号名称のプラント名称及び上記選択された信号名称の設備名称の文字列を上記項目番号編集画面に設定し表示する項目名称定義手段を備え、
上記オペレータが上記表示部にプラント名称の一覧が記載された上記プラントテーブルを表示し、表示された上記プラントテーブルのプラント名称を選択して選択したプラント名称の設備の一覧が記載された上記設備テーブルから設備名称を選択して選択した設備名称の信号名称の一覧が記載された上記信号テーブルから信号名称を選択することにより、選択したプラント名称、設備名称及び信号名称の文字列が連結された文字列が上記項目番号編集画面に設定され、上記表示部に出力されることを特徴とする監視制御システム。
【請求項２】
上記プラント名称または設備名称の上記項目番号編集画面への設定が必要なものを有、不要なものを無と定義する設定項目定義ファイルを上記データ定義部に設け、上記データ編集用プログラムに、上記設定項目定義ファイルに上記有が設定されている名称のみを上記項目番号編集画面に設定する設定項目切替手段を設けたことを特徴とする請求項１に記載の監視制御システム。
【請求項３】
上記プラント名称、設備名称及び信号名称の文字数を定義する設定文字数定義ファイルを上記データ定義部に設け、上記データ編集用プログラムに、上記設定文字数定義ファイルを参照して上記項目番号編集画面に設定する文字数を制限する設定文字数制限手段を設けたことを特徴とする請求項１に記載の監視制御システム。
【請求項４】
上記プラント名称、設備名称及び信号名称の略称を定義する略称定義ファイルを上記データ定義部に設け、上記データ編集用プログラムに、上記略称定義ファイルを参照して上記項目番号編集画面に上記プラント名称、設備名称及び信号名称の略称を設定する略称変換手段を設けたことを特徴とする請求項１に記載の監視制御システム。
【請求項５】
上記プラント名称または設備名称の上記項目番号編集画面への設定が必要なものを有、不要なものを無と定義する設定項目定義ファイル、設定する文字数を定義する設定文字数定義ファイル及び設備名称及び信号名称の略称を定義する略称定義ファイルを上記データ定義部に設け、上記データ編集用プログラムに、上記設定項目定義ファイルを参照して上記有が設定されている名称のみを上記項目番号編集画面に設定する設定項目切替手段、上記設定文字数定義ファイルを参照して上記項目番号編集画面に設定する文字数を制限する設定文字数制限手段及び上記略称定義ファイルを参照して上記項目番号編集画面に上記プラント名称、設備名称及び信号名称の略称を設定する略称変換手段を設けたことを特徴とする請求項１に記載の監視制御システム。
【手続補正２】
【補正対象書類名】明細書
【補正対象項目名】０００６
【補正方法】変更
【補正の内容】
【０００６】
この発明に係る監視制御システムは、データベース及び上記データベースに接続されたデータ編集用プログラムを備えたデータ定義部と、上記データ定義部による出力を表示する表示部と、オペレータによる入力が可能な入力部とを備えたデータ定義装置を有する監視制御システムにおいて、
上記データベースは、複数のプラントのプラント名称の一覧が設けられたプラントテーブル、上記複数のプラント毎の設備の設備名称の一覧が設けられた設備テーブル、上記複数のプラントそれぞれの設備毎の信号名称の一覧が設けられた信号テーブル及び行を区別するための項目番号欄と上記プラントテーブル、設備テーブル及び信号テーブルから選択された各名称を格納するための項目名称欄が設けられた項目番号テーブルから構成され、上記プラントテーブル、設備テーブル及び信号テーブルはリンクされ、
上記データ編集用プログラムは、内部に、上記リンクされた情報を取得するリンク情報取得手段、上記リンク情報取得手段が取得した情報に基づき、上記プラントテーブルの一覧から選択されたプラントの上記設備名称の一覧が設けられた上記設備テーブルを上記表示部に表示し表示された上記設備テーブルから選択された設備の信号名称一覧が設けられた上記信号テーブルを取得して上記表示部に表示する信号一覧表示手段、及び上記項目番号テーブルを取得して項目番号編集画面として上記表示部に表示し上記信号一覧表示手段が取得した上記信号テーブルから選択された信号名称、上記選択された信号名称のプラント名称及び上記選択された信号名称の設備名称の文字列を上記項目番号編集画面に設定し表示する項目名称定義手段を備え、
上記オペレータが上記表示部にプラントの一覧が記載された上記プラントテーブルを表示し、表示された上記プラントテーブルのプラント名称を選択して選択したプラント名称の設備の一覧が記載された上記設備テーブルから設備名称を選択して選択した設備名称の信号名称の一覧が記載された上記信号テーブルから信号名称を選択することにより、選択したプラント名称、設備名称及び信号名称の文字列が連結された文字列が上記項目番号編集画面に設定され、上記表示部に出力されるものである。
【手続補正３】
【補正対象書類名】明細書
【補正対象項目名】０００７
【補正方法】変更
【補正の内容】
【０００７】
この発明に係る監視制御システムによれば、データベース及び上記データベースに接続されたデータ編集用プログラムを備えたデータ定義部と、上記データ定義部による出力を表示する表示部と、オペレータによる入力が可能な入力部とを備えたデータ定義装置を有する監視制御システムにおいて、
上記データベースは、複数のプラントのプラント名称の一覧が設けられたプラントテーブル、上記複数のプラント毎の設備の設備名称の一覧が設けられた設備テーブル、上記複数のプラントそれぞれの設備毎の信号名称の一覧が設けられた信号テーブル及び行を区別するための項目番号欄と上記プラントテーブル、設備テーブル及び信号テーブルから選択された各名称を格納するための項目名称欄が設けられた項目番号テーブルから構成され、上記プラントテーブル、設備テーブル及び信号テーブルはリンクされ、
上記データ編集用プログラムは、内部に、上記リンクされた情報を取得するリンク情報取得手段、上記リンク情報取得手段が取得した情報に基づき、上記プラントテーブルの一覧から選択されたプラントの設備名称の一覧が設けられた上記設備テーブルを上記表示部に表示し表示された上記設備テーブルから選択された設備の信号名称一覧が設けられた上記信号テーブルを取得して上記表示部に表示する信号一覧表示手段、及び上記項目番号テーブルを取得して項目番号編集画面として上記表示部に表示し上記信号一覧表示手段が取得した上記信号テーブルから選択された信号名称、上記選択された信号名称のプラント名称及び上記選択された信号名称の設備名称の文字列を上記項目番号編集画面に設定し表示する項目名称定義手段を備え、
上記オペレータが上記表示部にプラント名称の一覧が記載された上記プラントテーブルを表示し、表示された上記プラントテーブルのプラント名称を選択して選択したプラント名称の設備の一覧が記載された上記設備テーブルから設備名称を選択して選択した設備名称の信号名称の一覧が記載された上記信号テーブルから信号名称を選択することにより、選択したプラント名称、設備名称及び信号名称の文字列が連結された文字列が上記項目番号編集画面に設定され、上記表示部に出力されるものであるので、複数のプラントの演算などを定義するデータ定義装置を備えた監視制御システムにおいて、信号名称がどのプラントのどの設備のものであるかを自動的に入力し、手入力作業を軽減することができ、コストが低減され、また、入力ミスが減少する。
【手続補正４】
【補正対象書類名】明細書
【補正対象項目名】００１０
【補正方法】変更
【補正の内容】
【００１０】
図１（ｂ）に示したように、データベース８０は、項目番号欄と項目名称欄が設けられた項目番号テーブル８１、複数のプラントのプラント名称の一覧が設けられたプラントテーブル８２、複数のプラント毎の設備の設備名称の一覧が設けられた設備テーブル８３及び各プラントの設備毎の信号名称の一覧が設けられた信号テーブル８４から構成され、プラントテーブル８２、設備テーブ８３及び信号テーブル８４はリンクされている。項目番号テーブル８１の項目番号は行を区別するためのものであり、項目名称欄はプラントテーブル８２、設備テーブル８３、信号テーブル８４から選択された各名称を格納するエリアである。
【手続補正５】
【補正対象書類名】明細書
【補正対象項目名】００１１
【補正方法】変更
【補正の内容】
【００１１】
データ編集用プログラム１０は、内部に、上記リンクされた情報を取得するリンク情報取得手段１０２、リンク情報取得手段１０２が取得した情報に基づき、プラントテーブル８２の一覧から選択されたプラントの設備名称の一覧が記載された設備テーブル８３を表示し、表示された設備テーブル８３から選択された設備の信号名称一覧が記載された信号テーブル８４を取得して表示する信号一覧表示手段１０１、及び項目番号テーブル８１を取得して項目名称編集画面として表示し、信号一覧表示手段１０１が取得した信号名称から選択された信号名称、この選択された信号名称のプラント名称及び選択された信号名称の設備名称の文字列を項目番号編集画面８１ａに設定し表示する項目名称定義手段１０３を備える。